(57)【要約】【課題】本考案は、発光素子を提供する。【解決手段】結合座と少なくとも一つの発光チップ、膠質及びレンズからなり、当該結合座に、少なくとも一つの発光チップが結合され、当該発光チップが、結合座内の他のステーに電気的に接続され、当該レンズの底面に、突出部が設けられ、当該膠質が、結合座内に注入され、当該レンズが、乾固していない膠質に設置され、そのため、レンズの底面の突出部により、乾固していない膠質を、中心から外側へ押すことにより、気体を排出でき、そして、膠質が乾燥した後、結合面に泡が発生しなく、有効的に、発生した泡により発光素子の屈折率や透過性が良くない問題を改善できる。【選択図】図３
0003127836.tif 000002
【実用新案登録請求の範囲】
【請求項１】
結合座と少なくとも一つの発光チップ、膠質及びレンズからなり、当該結合座に、少なくとも一つの発光チップが結合され、当該発光チップが、結合座内の他のステーに電気的に接続され、当該レンズの底面に、突出部が設けられ、当該膠質が、結合座内に注入され、当該レンズが、乾固していない膠質に設置されることを特徴とする、発光素子。
【請求項２】
当該結合座内に、少なくとも二つのステーが設けられることを特徴とする、請求項１に記載の発光素子。
【請求項３】
当該結合座内に、凹み部と少なくとも二つのステーが設けられることを特徴とする、請求項１に記載の発光素子。
【請求項４】
当該レンズの底面の突出部が、円弧面であることを特徴とする、請求項１に記載の発光素子。
【請求項５】
当該レンズの底面の突出部が、球状面であることを特徴とする、請求項１に記載の発光素子。
【請求項６】
当該レンズの底面の突出部が、非球状面であることを特徴とする、請求項１に記載の発光素子。
【請求項７】
当該レンズは、底部から、回りへ水平に片体を伸ばすことを特徴とする、請求項１に記載の発光素子。
【請求項８】
当該レンズの底部の片体は、周縁に、少なくとも一つの欠け口が設けられることを特徴とする、請求項７に記載の発光素子。
【考案の詳細な説明】
【技術分野】
【０００１】
本考案は、屈折率が良くないことと光源出射が均一的ではないことを改善でき、発光ダイオードや類似する構造に適用できる発光素子に関する。
【背景技術】
【０００２】
現在において、発光ダイオードが、高輝度と低光損失の方向へ発展していて、従来の照明装置の代わりとして利用することが図られている。
発光ダイオードの輝度を向上し、光損失を低下するために、発光ダイオードの構造を改善することだけでなく、パッケージの後、外に被覆される膠質の屈折率や透過率、均一度及び集光能力は、発光ダイオードの輝度を向上し、光損失を低下するためのキーポイントである。
【０００３】
既存の発光ダイオードは、主として、二つのステーがあり、その一つのステーにチップを結合するための凹み部が設けられ、また、導線により、チップがもう一つのステーに電気的に接続され、そして、膠質で、二つのステーの上端の局部とチップ及び導線をパッケージする。また、発光ダイオードは、光線がより集中できるため、レンズが増設された発光ダイオードが登場し、図６のように、結合座Ａ内に位置するステーＡ１に、チップＡ２が結合され、当該チップＡ２が、結合座Ａ内に位置するもう一つのステーＡ３に電気的に接続され、そして、結合座Ａ内に膠質Ｂを充填し、そして、膠質Ｂの頂部に、レンズＣが結合され、これにより、チップＡ２が出射した光がレンズＣを通すことにより、ユーザーの需要を満たすことができる。
【０００４】
しかしながら、上記のレンズＣの底面が平面であるため、当該膠質Ｂの頂面は、表面張力と凝集力により、内へ凹むや外へ突出するようになり、上下から押合うことにより、泡が発生し、そのため、当該チップＡ２から出射した光は、泡のため、屈折率や透過率が変化し、光源が均一ではない欠点がある。
【０００５】
本考案者は、上記の従来の欠点を解消するため、慎重に研究開発して、レンズを結合する時、泡が発生しない発光素子を提案する。
【考案の開示】
【考案が解決しようとする課題】
【０００６】
本考案の主な目的は、泡が発生しないようにレンズを結合して、光線の出射が均一的になる発光素子を提供する。
【課題を解決するための手段】
【０００７】
本考案は、上記の目的を達成するため、結合座と少なくとも一つの発光チップ、膠質及びレンズからなり、当該結合座に、少なくとも一つの発光チップが結合され、当該発光チップが、結合座内の他のステーに電気的に接続され、当該レンズの底面に、突出部が設けられ、当該膠質が、結合座内に注入され、当該レンズが、乾固していない膠質に設置され、そのため、レンズの底面の突出部により、乾固していない膠質を、中心から外側へ押すことにより、気体を排出でき、そして、膠質が乾燥した後、結合面に泡が発生しなく、有効的に、発生した泡により発光素子の屈折率や透過性が良くない問題を改善できる。
【考案を実施するための最良の形態】
【０００８】
以下、図面を参照しながら、具体的な実施例を挙げて、本考案を詳しく説明する。
【０００９】
図１〜３を参照しながら、本考案に係わる発光素子１は、結合座１５と少なくとも一つのチップ１３、少なくとも二つのワイヤボンディング１４、膠質１６及びレンズ１７からなり、当該結合座１５内に、凹み部１５２と少なくとも二つのステー１５３、１５４が設けられ、また、当該結合座１５の頂部の周縁に、階段部１５１が設けられ、当該チップ１３が、凹み部１５２に結合され、また、ワイヤボンディング１４により、ステー１５３、１５４に連結され、当該膠質１６が、結合座１５の凹み部１５２に注入され、これにより、結合座１５とチップ１３及びワイヤボンディング１４を一体にパッケージする。
【００１０】
図３、４を参照しながら、当該レンズ１７の底部の周縁から、結合座１５に合わせて外へ向かって水平に片体が伸ばし、また、当該片体の周縁に、少なくとも一つの欠け口が設けられ、本実施例において、片体の４隅に、それぞれ、欠け口１７２が設けられ、同時に、当該レンズ１７の底面に、突出部１７１が設けられる。
【００１１】
結合する時、当該結合座１５内の凹み部１５２に膠質１６を充填し、膠質１６が乾固していない内に、レンズ１７を、突出部１７１が下へ向かって突出部１７１の中心点が膠質１６の頂部に接触するように押すと、膠質１６が外へ拡散しながら二つの接触面が密着になり、同時に、氣体が欠け口１７２から逃がすため、泡が発生しなく、また、当該レンズ１７が、上から下へ結合座１５の上に押合わされ、また、レンズ１７の回りの平面が結合座１５の階段部１５１に抵当し、同時に、当該乾固していない膠質１６が、レンズ１７の突出部１７１により押されることにより、余分の膠質１６が、レンズ１７の欠け口１７２へ逃がすため、より緊密に結合できる。
【００１２】
また、当該レンズ１７の突出部１７１が、円弧面や球状面或いは非球状面であり、乾固していない膠質１６がその表面に沿って流れてスムーズに接合できるものであれば良い。
【００１３】
図５を参照しながら、当該結合座１５は、少なくとも二つのステー１１、１２から構成され、当該チップ１３が、ステー１１上に結合され、また、ワイヤボンディング１４を介して、ステー１１、１２に連結され、そして、結合座１５内に膠質１６を注入し、膠質１６が乾固していない内に、レンズ１７を、突出部１７１が下へ向かって結合座１５上に押合うようにすると、突出部１７１の中心点と膠質１６の頂部が互いに接触し、当該膠質１６が外へ拡散しながら二つの接触面がスムーズに接合され、また、泡が生成しない。
【００１４】
以上から分かるように、本考案は、次の利点が得られる。
【００１５】
１、当該レンズの底面に、突出部が設けられるため、レンズと膠質とが結合する時、レンズの突出部と膠質の頂面とが接触して、膠質が中心点から外へ押されて、同時に排気し、そのため、泡が発生しない。
【００１６】
２、当該レンズの４隅に欠け口が設けられるため、レンズと膠質とが押合わされる時、当該乾固していない膠質が、レンズの欠け口により逃がすことができるため、更に、緊密に結合される。
【００１７】
以上は、ただ、本考案のより良い実施例であり、本考案は、それによって制限されず、本技術を良く分かる熟練者であれば、簡単に等価の変更や修正ができ、当該等価の変更や修正は、全てが、本考案に係わる実用新案登録請求の範囲内に含まれる。
【図面の簡単な説明】
【００１８】
【図１】本考案の実施例の立体外観図
【図２】本考案の実施例の素子分解断面図
【図３】本考案の実施例の組立て断面図
【図４】本考案に係わるレンズの上面図
【図５】本考案の第２の実施例の組立て断面図
【図６】従来の発光素子の素子分解断面図
【符号の説明】
【００１９】
１      発光素子
１１    ステー
１２    ステー
１３    チップ
１４    ワイヤボンディング
１５    結合座
１５１  階段部
１５２  凹み部
１５３  ステー
１５４  ステー
１６    膠質
１７    レンズ
１７１  突出部
１７２  欠け口
Ａ      結合座
Ａ１    ステー
Ａ２    チップ
Ａ３    ステー
Ｂ      膠質
Ｃ      レンズ
【図１】
0003127836.tif 000003
【図２】
0003127836.tif 000004
【図３】
0003127836.tif 000005
【図４】
0003127836.tif 000006
【図５】
0003127836.tif 000007
【図６】
0003127836.tif 000008